(57)【特許請求の範囲】
【請求項１】
本体と、
前記本体に配置される送風機と、
前記送風機の吸入部に接続されると共に前記本体及び前記送風機に対して着脱自在に配置されて吸入した空気から有害物質を除去可能なフィルタが内蔵されるフィルタユニットと、
を有し、
前記送風機の排出部と前記フィルタユニットの吸入部との圧力差を計測する差圧センサが設けられ、前記フィルタユニットの吸入部と前記差圧センサとを連結する空気経路が分割可能に設けられる、
ことを特徴とする有害物質の除去装置。
【請求項２】
前記送風機が前記本体に対して着脱自在に配置されることを特徴とする請求項１に記載の有害物質の除去装置。
【請求項３】
前記フィルタユニットは、枠体と、開口部及び排出部を有して前記枠体に対して着脱自在な収納箱と、前記開口部を通して前記収納箱内に収納可能なプレフィルタ及びヘパフィルタと、吸入部を有して前記開口部を閉塞可能な蓋とを有することを特徴とする請求項１または２に記載の有害物質の除去装置。
【請求項４】
前記フィルタユニットの吸入部にダストを捕集可能なダストフィルタが設けられると共に、吸入ホースが接続可能であることを特徴とする請求項１から３のいずれか一つに記載の有害物質の除去装置。
【発明の詳細な説明】
【技術分野】
【０００１】
本発明は、例えば、空気中に存在する放射性物質などの有害物質を除去するために使用する有害物質の除去装置に関するものである。
【背景技術】
【０００２】
例えば、原子力発電プラントにて、各種の作業を行う場合、放射性物質などの有害物質が存在しない作業環境を確保する必要がある。この場合、放射性物質などの有害物質を除去可能な装置を用いる。
【０００３】
従来の有害物質の除去装置としては、例えば、下記特許文献１に記載されたものがある。この特許文献１に記載された沃素除去局所排気装置は、ミキシングチャンバと第１フィルタチャンバと第２フィルタチャンバとを直列に配設してボルトで連結し、第２フィルタチャンバの流出口側を吸引ファンの吸入部に接続し、ミキシングチャンバに外部空気導入口と接続口を設けると共に、ミストを除去するデミスタフィルタを配置したものである。
【先行技術文献】
【特許文献】
【０００４】
【特許文献１】特開平１１−１０１８９３号公報
【発明の概要】
【発明が解決しようとする課題】
【０００５】
上述した従来の有害物質の除去装置としての沃素除去局所排気装置は、ミキシングチャンバと第１フィルタチャンバと第２フィルタチャンバとを直列に連結し、第２フィルタチャンバに吸引ファンを接続している。この場合、ミキシングチャンバと第１フィルタチャンバと第２フィルタチャンバと吸引ファンは、それぞれキャスタを有して移動可能に構成されていることから、各装置の大型化や複雑化を招き、内蔵されているフィルタなどの部品の交換作業が面倒なものとなってしまうという問題がある。
【０００６】
本発明は、上述した課題を解決するものであり、構成部材の交換作業を容易としてメンテナンス作業における作業性の向上を可能とする有害物質の除去装置を提供することを目的とする。
【課題を解決するための手段】
【０００７】
上記の目的を達成するための本発明の有害物質の除去装置は、本体と、前記本体に配置される送風機と、前記送風機の吸入部に接続されると共に前記本体及び前記送風機に対して着脱自在に配置されて吸入した空気から有害物質を除去可能なフィルタが内蔵されるフィルタユニットと、を有することを特徴とするものである。
【０００８】
従って、本体と送風機に対してフィルタユニットを着脱自在に配置したことで、このフィルタユニットを小型化することができると共に、軽量化することができ、また、フィルタの交換などのメンテナンス作業を容易に行うことが可能となり、構成部材の交換作業を容易としてメンテナンス作業における作業性を向上することができる。
【０００９】
本発明の有害物質の除去装置では、前記送風機が前記本体に対して着脱自在に配置されることを特徴としている。
【００１０】
従って、本体に対して送風機を着脱自在に配置したことで、送風機を小型化することができると共に、軽量化することができ、また、この送風機の交換作業を容易とすることができる。
【００１１】
本発明の有害物質の除去装置では、前記フィルタユニットは、枠体と、開口部及び排出部を有して前記枠体に対して着脱自在な収納箱と、前記開口部を通して前記収納箱内に収納可能なプレフィルタ及びヘパフィルタと、吸入部を有して前記開口部を閉塞可能な蓋とを有することを特徴としている。
【００１２】
従って、フィルタユニットを複数の部材から構成し、内部に複数のフィルタを収容したことで、フィルタユニットの解体やフィルタの交換を容易に行うことができる。
【００１３】
本発明の有害物質の除去装置では、前記送風機の排出部と前記フィルタユニットの吸入部との圧力差を計測する差圧センサが設けられ、前記フィルタユニットの吸入部と前記差圧センサとを連結する空気経路が分割可能に設けられることを特徴としている。
【００１４】
従って、差圧センサにより送風機の排出部とフィルタユニットの吸入部との圧力差を計測することで、フィルタの交換時期を適正に判断することができ、有害物質を効率良く除去することができると共に、空気経路が分割可能であるため、フィルタユニットの交換時に送風機から容易にフィルタユニットを取外すことができる。
【００１５】
本発明の有害物質の除去装置では、前記フィルタユニットの吸入部にダストを捕集可能なダストフィルタが設けられると共に、吸入ホースが接続可能であることを特徴としている。
【００１６】
従って、空気中の有害物質だけでなく、周辺に散乱した有害物質までも吸入ホースにより吸い込んでダストフィルタにより除去することができ、多数の用途に適用することができる。
【発明の効果】
【００１７】
本発明の有害物質の除去装置によれば、本体と、本体に配置される送風機と、送風機の吸入部に接続されると共に本体及び送風機に対して着脱自在に配置されて吸入した空気から有害物質を除去可能なフィルタが内蔵されるフィルタユニットを有するので、構成部材の交換作業を容易としてメンテナンス作業における作業性を向上することができる。
【図面の簡単な説明】
【００１８】
【図１】図１は、本発明の一実施例に係る有害物質の除去装置を表す側面図である。
【図２】図２は、本実施例の有害物質の除去装置における本体の側面図である。
【図３】図３は、本実施例の有害物質の除去装置における本体の平面図である。
【図４】図４は、本実施例の有害物質の除去装置における本体の背面図である。
【図５】図５は、本実施例の有害物質の除去装置における蓋を外したフィルタユニットの側面図である。
【図６】図６は、蓋を外したフィルタユニットの正面図である。
【図７】図７は、本実施例の有害物質の除去装置におけるフィルタユニットの蓋の側面図である。
【図８】図８は、フィルタユニットの蓋の正面図である。
【図９】図９は、本体及び送風機を搬送するための保管ケースの正面図である。
【図１０】図１０は、フィルタユニットを搬送するための保管ケースの正面図である。
【図１１】図１１は、本実施例の有害物質の除去装置における別の適用例を表す側面図である。
【発明を実施するための形態】
【００１９】
以下に添付図面を参照して、本発明の有害物質の除去装置の好適な実施例を詳細に説明する。なお、この実施例により本発明が限定されるものではなく、また、実施例が複数ある場合には、各実施例を組み合わせて構成するものも含むものである。
【実施例】
【００２０】
図１は、本発明の一実施例に係る有害物質の除去装置を表す側面図、図２は、本実施例の有害物質の除去装置における本体の側面図、図３は、本実施例の有害物質の除去装置における本体の平面図、図４は、本実施例の有害物質の除去装置における本体の背面図、図５は、本実施例の有害物質の除去装置における蓋を外したフィルタユニットの側面図、図６は、蓋を外したフィルタユニットの正面図、図７は、本実施例の有害物質の除去装置におけるフィルタユニットの蓋の側面図、図８は、フィルタユニットの蓋の正面図、図９は、本体及び送風機を搬送するための保管ケースの正面図、図１０は、フィルタユニットを搬送するための保管ケースの正面図、図１１は、本実施例の有害物質の除去装置における別の適用例を表す側面図である。
【００２１】
図１に示すように、本実施例の有害物質の除去装置１０は、本体１１と、送風機１２と、フィルタユニット１３とを有し、本体１１と送風機１２とフィルタユニット１３とがそれぞれ分割されて着脱可能に構成されている。
【００２２】
本体１１は、図２から図４に示すように、左右一対の第１支持片２１が３つの連結片２２により連結されて水平な架台２３が形成され、この架台２３における後端部に鉛直方向に沿って左右一対の第２支持片２４が一体に連結されて構成されている。そして、架台２３は、下部の前後左右にブラケット２５を介してキャスタ２６がそれぞれ装着されており、後部にある２つのキャスタ２６は、ロック２７を有している。また、各第２支持片２４は、架台２３（第１支持片２１）に対して略直角（９０度）をもって連結されており、第１支持片２１と第２支持片２４との連結部に補強部材２８が固定されると共に、第２支持片２４にすべり防止部材（ゴムなどの弾性部材）２４ａが固定されている。
【００２３】
また、本体１１は、架台２３（各第１支持片２１）における左右の側部に取手２９が固定されている。この各取手２９は、前後方向にずれて固定されており、作業者は、この取手２９を用いて本体１１を持ち上げることができる。更に、本体１１は、架台２３における２つの連結片２２の間に左右一対の取付片３０が固定されており、各取付片３０にそれぞれ３つの取付孔３１が形成されている。また、本体１１は、架台２３における左右の第１支持片２１の各側部にそれぞれ２つの取付片３２が固定されており、各取付片３２にそれぞれねじ孔３３が形成されている。
【００２４】
送風機１２は、図１に示すように、中空形状をなすケーシング４１内にファン（図示略）が回転自在に収容されてなり、モータ４２によりファンが回転して送風可能となっている。また、送風機１２は、ケーシング４１の前方側に円筒形状をなす吸入部４３が設けられ、ケーシング４１の側方側に排出部４４が設けられている。そして、送風機１２は、モータ４２に対して電力を供給する電源コード４５が設けられている。
【００２５】
この送風機１２は、本体１１の架台２３に対して着脱自在に配置されている。即ち、送風機１２は、ケーシング４１の下部に取付台４６を介して基板４７が一体に設けられている。そして、この送風機１２は、基板４７が本体１１の架台２３上における所定の位置に載置され、６個の固定ボルト４８が本体１１（架台２３）の取付片３０に形成された各取付孔３１（図３参照）を下方から貫通して基板４７に螺合することで、送風機１２が本体１１に固定されている。そのため、この６個の固定ボルト４８を弛緩して基板４７から離脱させることで、本体１１に対して送風機１２を取外すことができる。
【００２６】
フィルタユニット１３は、送風機１２に接続されると共に、本体１１に対して着脱自在に配置されており、吸入した空気から有害物質（例えば、放射性物質など）を除去可能なフィルタを内蔵している。即ち、フィルタユニット１３は、枠体５１と、収納箱５２と、プレフィルタ５３及びヘパ（ＨＥＰＡ：Ｈｉｇｈ  Ｅｆｆｉｃｉｅｎｃｙ  Ｐａｒｔｉｃｕｌａｔｅ  Ａｉｒ  Ｆｉｌｔｅｒ）フィルタ５４（図５参照）と、蓋５５とを有している。
【００２７】
枠体５１は、図５及び図６に示すように、四角いリング形状をなす前後の枠６１，６２がそれぞれ４つの連結片６３，６４により連結されると共に、後部の枠６２に後部蓋６５が固定されて構成されている。そして、枠体５１は、後部蓋６５に貫通孔６６が形成されており、この貫通孔６６は、枠体５１の中心から所定距離だけ上方にずれた位置に設けられている。また、枠体５１は、上部にＵ字形状をなす取手６７が固定されている。そして、枠体５１は、後部の２つの枠６２の下部に垂下する左右一対のフック６８が固定されており、この各フック６８は、後方に向いた開口６９が形成されている。
【００２８】
収納箱５２は、四角い箱型形状をなし、一方側に四角筒形状をなす開口部７１が形成され、他方側に円筒形状をなす排出部７２が形成されており、この排出部７２は、収納箱５２の中心から所定距離だけ上方にずれた位置に設けられている。そして、この収納箱５２は、他方側から枠体５１に対して着脱自在であり、このとき、排出部７２が貫通孔６６に貫通し、開口部７１側の端部が前部の枠６１より一方側に突出する。
【００２９】
プレフィルタ５３とヘパフィルタ５４は、開口部７１を通して収納箱５２内に収納可能であり、このとき。奥側にヘパフィルタ５４が配置され、開口部７１側にプレフィルタ５３が配置される。プレフィルタ５３は、ヘパフィルタ５４よりも空気の流れ方向の上流側に配置されており、空気中に含まれる粉塵などを捕集して除去可能となっており、ヘパフィルタ５４の効果を保持するためのものである。ヘパフィルタ５４は、プレフィルタ５３よりも空気の流れ方向の下流側に配置されており、空気中に含まれる微細な埃や放射性物質（微粒子）などの有害物質を捕集して除去可能となっている。この場合、プレフィルタ５３とヘパフィルタ５４は、周囲に枠体が設けられ、各枠体が収納箱５２の開口部７１に嵌合することで固定される。
【００３０】
蓋５５は、図７及び図８に示すように、一方側に円筒形状をなす吸入部７３が形成され、他方側に四角筒形状をなす開口部７４が形成されており、吸入部７３と開口部７４とは四角錐台形状をなす連結部７５により連結されている。そして、収納箱５２の開口部７１の外径と蓋５５の開口部７４の内径とは、略同形状及び略同寸法に設定されており、収納箱５２の開口部７１の外面に蓋５５の開口部７４の内面が嵌合することで、蓋５５により収納箱５２の開口部７１を閉塞可能となっている。
【００３１】
図１、図５から図８に示すように、枠体５１（収納箱５２）と蓋５５との間には、複数のロック装置としてのスナップ錠７６が設けられている。即ち、枠体５１は、前部の枠６１の外周面にリング側パーツ７６ａが設けられ、蓋５５は、開口部７４側の外周面にフック側パーツ７６ｂが設けられている。スナップ錠７６は、一般的に使用されるものであり、例えば、リング側パーツ７６ａは、回動可能に設けられた操作レバーと、操作レバーに対し回動可能に設けられたスナップリングとを有し、フック側パーツ７６ｂは、スナップリングが掛止されるフックを有している。従って、蓋５５の開口部７４側が収納箱５２の開口部７１に嵌合した状態で、スナップリングをフックに掛止して操作レバーを回動することで、スナップ錠７６により蓋５５が収納箱５２の開口部７１を閉塞した状態で、蓋５５を枠体５１に固定することができる。
【００３２】
このように構成されたフィルタユニット１３は、図１に示すように、本体１１及び送風機１２に対して着脱自在となっている。即ち、フィルタユニット１３は、本体１１における架台２３上に載置され、後方（図１にて右方）に移動することで、収納箱５２の排出部７２を送風機１２の吸入部４３内に嵌合して接続することができる。また、このとき、事前に各締結ボルト７７を本体１１の両側にある各ねじ孔３３（図２参照）にそれぞれ螺合しておき、フィルタユニット１３を後方に移動することで、各フック６８を各締結ボルト７７に係止し、各締結ボルト７７を締結することでフィルタユニット１３を本体１１に固定することができる。
【００３３】
また、有害物質の除去装置１０は、送風機１２の排出部４４とフィルタユニット１３の吸入部７３との圧力差を計測する差圧センサ８１が設けられている。この差圧センサ８１は、送風機１２に固定されており、排出部４４と配管８２により連結されると共に、フィルタユニット１３の吸入部７３と配管（空気経路）８３により連結されている。従って、差圧センサ８１は、送風機１２の排出部４４の圧力とフィルタユニット１３の吸入部７３の圧力とが供給され、両者の圧力差を出力（例えば、デジタル表示）することができる。この場合、差圧センサ８１とフィルタユニット１３の吸入部７３とを連結する配管８３は、２つの分割配管８３ａ，８３ｂからなり、コネクタ８３ｃ，８３ｄにより着脱自在（分割可能）となっている。
【００３４】
ここで、このように構成された本実施例の有害物質の除去装置１０の使用方法について説明する。
【００３５】
本実施例の有害物質の除去装置１０は、所定の部屋の空気から有害物質を除去することで部屋を清浄することができる。即ち、所定の部屋の空気を吸入し、有害物質を除去した清浄後の空気を外部に排出することで、この部屋を負圧状態とし、部屋を清浄状態に維持することができる。また、所定の部屋の外部空気を吸入し、有害物質を除去した清浄後の空気を内部に排出することで、この部屋を正圧状態とし、部屋を清浄状態に維持することができる。
【００３６】
具体的に説明すると、電源コード４５を電源装置（図示略）に接続し、図示しないスイッチをＯＮとすることで送風機１２を作動させる。すると、送風機１２は、吸入部４３を通してフィルタユニット１３に負圧を作用させ、外部の汚染空気が吸入部７３からフィルタユニット１３に吸い込まれる。このとき、フィルタユニット１３は、プレフィルタ５３が空気中に含まれる粉塵などを捕集し、ヘパフィルタ５４が空気中に含まれる微細な埃や放射性物質（微粒子）などの有害物質を捕集する。そして、有害物質が除去された清浄空気は、送風機１２を通って排出部４４から外部に排出される。
【００３７】
このとき、第２支持片２４が下方になるように装置全体を立たせた状態にすると、有害物質の除去装置１０の配置面積を少なくすることができ、例えば、原子力発電プラント内のＣ／ＶやＲ／Ｖ、または、原子炉建屋のような狭隘なスペースにおいても、有害物質の除去装置１０を容易に使用することが可能となる。なお、本実施例における有害物質の除去装置１０においては、本体１１の第２支持片２４にすべり防止部材２４ａが設けられており、有害物質の除去装置１０を立たせると、床面に対する有害物質の除去装置１０のすべりを抑制することができると共に、有害物質の除去装置１０に対する衝撃を緩和することができる。
【００３８】
そして、長期の使用によりプレフィルタ５３やヘパフィルタ５４が目詰まりすると、差圧センサ８１の計測値が予め設定された基準値より大きくなることから、このとき、プレフィルタ５３及びヘパフィルタ５４を交換する。この場合、まず、各締結ボルト７７を弛緩することで、本体１１に対するフィルタユニット１３の固定を解除する。次に、フィルタユニット１３を架台２３上で前方（図１にて左方）に移動することで、枠体５１の各フック６８を締結ボルト７７から離脱させると共に、収納箱５２の排出部７２を送風機１２の吸入部４３から抜き取る。ここで、フィルタユニット１３を本体１１から取外すことができる。
【００３９】
本体１１から取外したフィルタユニット１３は、所定の部屋にて、スナップ錠７６を解除して蓋５５を外し、枠体５１から収納箱５２を抜き取り、各フィルタ５３，５４と共に収納箱５２を廃棄処分する。また、枠体５１や蓋５５は除染処理して再利用する。なお、各フィルタ５３，５４だけを廃棄処分して収納箱５２を再利用してもよい。
【００４０】
この各フィルタ５３，５４や収納箱５２を廃棄処分するとき、廃棄用の袋にフィルタ５３，５４や収納箱５２を入れ、フィルタユニット１３の吸入部７３を差し込み、送風機１２を作動させることで、廃棄用の袋内の空気が浄化されて排出され、廃棄物を減容することが可能となる。
【００４１】
この場合、有害物質の除去装置１０に対して、目詰まりしたプレフィルタ５３やヘパフィルタ５４を交換する作業は、捕集した有害物質が飛散しないように所定の部屋で行うが、フィルタユニット１３を取外した本体１１及び送風機１２やこのフィルタユニット１３は、所定の保管ケースに保管された状態で搬送される。
【００４２】
図９に示すように、保管ケース１０１は、上部が開口したケース本体１０２と、ケース本体１０２の開口を閉止可能なケース蓋１０３と、ケース蓋１０３をケース本体１０２に固定するロック装置１０４とを有している。また、保管ケース１０１は、ケース蓋１０３に取手１０５が設けられている。そして、この保管ケース１０１は、内部に本体１１及び送風機１２を収容可能となっている。なお、保管ケース１０１は、本体１１及び送風機１２を収容したときに、この本体１１及び送風機１２のがたつきやずれを防止するずれ防止部材が設けられている。
【００４３】
また、図１０に示すように、保管ケース１１１は、上部が開口したケース本体１１２と、ケース本体１１２の開口を閉止可能なケース蓋１１３と、ケース蓋１１３をケース本体１１２に固定するロック装置１１４とを有している。また、保管ケース１１１は、ケース蓋１１３に取手１１５が設けられている。そして、この保管ケース１１１は、内部にフィルタユニット１３を収容可能となっている。なお、保管ケース１０１は、フィルタユニット１３を収容したときに、このフィルタユニット１３のがたつきやずれを防止するずれ防止部材が設けられている。
【００４４】
このように本体１１及び送風機１２やフィルタユニット１３を所定の保管ケース１０１，１１１に保管することで、構内を移動するときに捕集した有害物質を飛散させることがなく、また、搬送中に本体１１、送風機１２、フィルタユニット１３を破損させることがない。
【００４５】
なお、保管ケース１１１は、内部にフィルタユニット１３を収容可能としたが、廃棄する収納箱５２及び各フィルタ５３，５４だけを収容したり、再利用する枠体５１及び蓋５５だけを収容したりしてもよい。
【００４６】
一方、使用済のフィルタユニット１３が取外された本体１１に対して、新しいフィルタユニット１３を用意し、この新しいフィルタユニット１３を送風機１２に接続すると共に、本体１１に固定し、作業を再開する。
【００４７】
なお、使用済のフィルタユニット１３を本体１１から取外すとき、また、新しいフィルタユニット１３を本体１１に固定するとき、本体１１を持ち、第２支持片２４が下方になるように装置全体を立たせた状態にすると、締結ボルト７７の弛緩作業及び締結作業や本体１１に対するフィルタユニット１３の移動作業を容易に行うことが可能となり、フィルタユニット１３の交換作業の作業性を向上できる。本体１１は、４つのすべり防止部材２４ａが床に密着してすべりが防止される。
【００４８】
ところで、本実施例の有害物質の除去装置１０は、図１１に示すように、フィルタユニット１３の吸入部７３にダストを捕集可能なダストフィルタ９１を装着可能であると共に、吸入ホース９２を接続可能となっている。このダストフィルタ９１は、プレフィルタ５３よりも目の粗いフィルタであって、例えば、金属メッシュにより構成されており、半球形状をなし、外周部のフランジ９３が吸入部７３の外周部に係止可能となっている。吸入ホース９２は、フィルタユニット１３の吸入部７３（ダストフィルタ９１）の外側に嵌合する接続部９４と、可撓性の材料からなって所定長さを有して基端部が接続部９４に連結されたホース９５と、先端部が細くなった吸込口を有してホース９５の先端部に連結された吸込部材９６とから構成されている。
【００４９】
従って、フィルタユニット１３の吸入部７３にダストフィルタ９１を装着すると共に吸入ホース９２を接続し、送風機１２を作動させた後、吸入ホース９２の先端部を洗浄したい位置に移動する。すると、吸入ホース９２を通して吸い込まれたごみは、ダストフィルタ９１により捕集され、その後、フィルタユニット１３にて、プレフィルタ５３により空気中に含まれる粉塵などが捕集され、ヘパフィルタ５４により空気中に含まれる微細な埃や放射性物資（微粒子）などの有害物質が捕集される。そして、有害物質が除去された清浄空気は、送風機１２を通って排出部４４から外部に排出される。
【００５０】
このように本実施例の有害物質の除去装置にあっては、本体１１と、この本体１１に配置される送風機１２と、この送風機１２の吸入部７３に接続されると共に本体１１及び送風機１２に対して着脱自在に配置されて吸入した空気から有害物質を除去可能なフィルタ５３，５４が内蔵されるフィルタユニット１３とを設けている。
【００５１】
従って、本体１１と送風機１２に対してフィルタユニット１３を着脱自在に配置したことで、このフィルタユニット１３を小型化することができると共に、軽量化することができ、また、フィルタ５３，５４の交換などのメンテナンス作業を容易に行うことが可能となり、このフィルタ５３，５４の交換作業を容易としてメンテナンス作業における作業性を向上することができる。
【００５２】
本実施例の有害物質の除去装置では、送風機１２を本体１１に対して着脱自在に配置している。従って、送風機１２を小型化することができると共に、軽量化することができ、また、この送風機１２の老朽化により交換するとき、交換作業を容易とすることができると共に、低コスト化を可能とすることができる。更に、本体１１からフィルタユニット１３を取外して各フィルタ５３，５４の交換作業をするとき、送風機１２からフィルタユニット１３が分離されることで、送風機１２をフィルタユニット１３と共に所定の部屋に持参する必要はなく、送風機１２の汚染を防止することができる。
【００５３】
本実施例の有害物質の除去装置では、フィルタユニット１３を、枠体５１と、開口部７１及び排出部７２を有して枠体５１に対して着脱自在な収納箱５２と、開口部７１を通して収納箱５２内に収納可能なプレフィルタ５３及びヘパフィルタ５４と、吸入部７３を有して開口部７１を閉塞可能な蓋５５とにより構成している。従って、フィルタユニット１３を複数の部材から構成し、内部に複数のフィルタ５３，５４を収容したことで、フィルタ５３，５４の交換を容易に行うことができる。
【００５４】
本実施例の有害物質の除去装置では、送風機１２の排出部４４とフィルタユニット１３の吸入部７３との圧力差を計測する差圧センサ８１を設け、フィルタユニット１３の吸入部７３と差圧センサ８１とを連結する配管８３を２つの分割配管８３ａ，８３ｂにより構成している。従って、差圧センサ８１により送風機１２の排出部４４とフィルタユニット１３の吸入部７３との圧力差を計測することで、フィルタ５３，５４の交換時期を適正に判断することができ、有害物質を効率良く除去することができると共に、配管８３を２つの分割配管８３ａ，８３ｂにより構成することで、フィルタユニット１３の交換時に送風機１２から容易にフィルタユニット１３を取外すことができる。
【００５５】
本実施例の有害物質の除去装置では、フィルタユニット１３の吸入部７３にダストを捕集可能なダストフィルタ９１を設けると共に、吸入ホース９２を接続可能としている。従って、空気中の有害物質だけでなく、周辺に散乱した有害物質などのごみまでも吸入ホース９２により吸い込んでダストフィルタ９１により除去することができ、多数の用途に適用することができる。
【００５６】
なお、上述した実施例では、本体１１に対して送風機１２を複数の固定ボルト４８により固定し、この固定ボルト４８を弛緩することで取外し可能としたが、この構成に限定されるものではない。また、本体１１に対してフィルタユニット１３を複数の締結ボルト７７により固定し、この締結ボルト７７を弛緩することで取外し可能としたが、この構成に限定されるものではない。例えば、固定ボルト４８や締結ボルト７７に代えて、スナップ錠やロック装置などを用いてもよい。
【００５７】
また、上述した実施例では、本体１１に対して送風機１２とフィルタユニット１３を水平に接続してキャスタ２６により走行可能としたが、本体１１に対して送風機１２とフィルタユニット１３を鉛直に接続してキャスタ２６により走行可能としてもよい。
【符号の説明】
【００５８】
１０  有害物質の除去装置
１１  本体
１２  送風機
１３  フィルタユニット
２３  架台
２４  第２支持片
２６  キャスタ
３１  取付孔
３３  ねじ孔
４３  吸入部
４４  排出部
４８  固定ボルト
５１  枠体
５２  収納箱
５３  プレフィルタ
５４  ヘパフィルタ
５５  蓋
６８  フック
７１  開口部
７２  排出部
７３  吸入部
７６  スナップ錠
７７  締結ボルト
８１  差圧センサ
８３  配管（空気経路）
９１  ダストフィルタ
９２  吸入ホース
１０１，１１１  保管ケース
【図１】
0005984509.tif 000002
【図２】
0005984509.tif 000003
【図３】
0005984509.tif 000004
【図４】
0005984509.tif 000005
【図５】
0005984509.tif 000006
【図６】
0005984509.tif 000007
【図７】
0005984509.tif 000008
【図８】
0005984509.tif 000009
【図９】
0005984509.tif 000010
【図１０】
0005984509.tif 000011
【図１１】
0005984509.tif 000012